(57)【要約】      （修正有）【課題】ウェアラブル光治療装置により皮膚疾患、リウマチ等の様々な皮膚の治療、回復及び健康管理を実現でき、接触可能な光美容装置により顔、目周り等の皮膚の光治療を実現でき、スキンケアを行うことができる光治療システムを提供する。【解決手段】光治療システムは、光源アセンブリ、導光アセンブリ及び光治療アセンブリを備え、光源アセンブリは１種又は複数種の特定の波長の光を出射でき、光治療時に照射を行い、光源がＬＥＤ光源であってもよく、導光アセンブリは光源アセンブリと光治療アセンブリとの間に設置され、光源アセンブリで生じる光エネルギーをビーム整形モジュールにより整形収縮した後、光治療アセンブリに伝導する。光源の発生部と応用部を分離することで、製品の安全性及び使いやすさを向上させ、多くの人体部位の統一的治療を行うことができる。【選択図】図１
0003232725.tif 000002
【実用新案登録請求の範囲】
【請求項１】
光源アセンブリ、光治療アセンブリ、及び前記光源アセンブリと前記光治療アセンブリとの間に設置される導光アセンブリを備える光治療システムであって、
前記光源アセンブリは、光源モジュールと、前記光源モジュールに電気的に接続される電源モジュールと、前記光源モジュールにそれぞれ接続される放熱モジュール及びビーム整形モジュールと、前記ビーム整形モジュールに接続され、前記ビーム整形モジュールの中心に位置合わせする導光ポートと、を備え、
前記光源アセンブリと前記導光アセンブリは前記導光ポートを介して接続され、
前記光治療アセンブリは接触可能な光美容装置及び／又はウェアラブル光治療装置を備え、
前記電源モジュールは前記光源モジュールに給電し、前記光源モジュールは出射光を出射し、前記ビーム整形モジュールは前記出射光を整形収縮し、前記導光アセンブリは整形収縮後の出射光を前記光治療アセンブリに伝導し、前記光治療アセンブリによってユーザーに光治療を提供し、前記放熱モジュールは前記光源モジュールで生じる熱エネルギーを放出する光治療システム。
【請求項２】
前記ウェアラブル光治療装置は光ファイバ発光ユニット及びウェアラブルユニットを備え、
前記光ファイバ発光ユニットは一端が前記導光アセンブリに接続され、他端が前記ウェアラブルユニットに接続され、
前記導光アセンブリは整形収縮後の出射光を前記光ファイバ発光ユニットに伝導して、前記ウェアラブルユニットを装着しているユーザーに光治療を提供する請求項１に記載の光治療システム。
【請求項３】
前記光ファイバ発光ユニットは、第１光ファイバフィラメントを編組して形成された光ファイバクロス全体であり、
前記導光アセンブリは前記出射光を前記第１光ファイバフィラメントに伝導して、前記出射光が編組された前記光ファイバクロス全体に面光源を形成するようにする請求項２に記載の光治療システム。
【請求項４】
１つの前記光源アセンブリ、１つ又は複数の前記光治療アセンブリ、及びそれに対応する前記導光アセンブリを備える請求項１に記載の光治療システム。
【請求項５】
前記光源アセンブリは、１つの前記電源モジュール、１つの前記放熱モジュール、１つ又は複数の前記光源モジュール、及びそれらに対応する前記ビーム整形モジュールと前記導光ポートを備え、
各前記光源モジュールは一組の前記ビーム整形モジュール及び一組の前記導光ポートに対応する請求項４に記載の光治療システム。
【請求項６】
前記導光アセンブリの両端に、前記光源アセンブリ及びウェアラブル光治療装置に接続されるポートがそれぞれ設置され、
前記導光アセンブリの一端の前記ポートが前記導光ポートに接続され、
前記導光アセンブリの他端の前記ポートが前記光ファイバ発光ユニットの一端のポートに接続される請求項２に記載の光治療システム。
【請求項７】
前記接触可能な光美容装置は光ファイバ層を備え、前記光ファイバ層内に第２光ファイバフィラメントが分布しており、前記光ファイバ層が前記導光アセンブリに接続され、
前記導光アセンブリは整形収縮後の出射光を前記光ファイバ層に伝導して、前記接触可能な光美容装置を貼着しているユーザーに光治療を提供する請求項１に記載の光治療システム。
【請求項８】
前記光ファイバ層は前記第２光ファイバフィラメントを配列して光ファイバクロス全体を形成し、又は、前記光ファイバ層は前記光ファイバ層内に挿通された第２光ファイバフィラメントを編組して光ファイバクロス全体を形成し、
前記導光アセンブリは前記整形収縮後の出射光を前記第２光ファイバフィラメントに伝導して、前記整形収縮後の出射光が前記光ファイバクロスに面光源を形成するようにする請求項７に記載の光治療システム。
【請求項９】
前記接触可能な光美容装置は、前記光ファイバ層に接着される接触層をさらに備え、又は、
前記接触可能な光美容装置は接触層及び反射層をさらに備え、前記光ファイバ層の一方の面が前記接触層に接着され、前記光ファイバ層の他方の面が前記反射層に接着される請求項８に記載の光治療システム。
【請求項１０】
前記光ファイバ層のエッジに１つのドッキングポートが設置され、前記導光アセンブリの両端に、前記光源アセンブリ及び前記接触可能な光美容装置に接続されるポートがそれぞれ設置され、前記導光アセンブリの一端の前記ポートが前記導光ポートに接続され、前記導光アセンブリの他端の前記ポートが前記光ファイバ層の前記ドッキングポートに接続され、
又は、前記光ファイバ層のエッジに１つのドッキングポートが設置され、前記導光アセンブリの一端のみに、前記ドッキングポートに嵌合接続されるポートが設置され、前記ドッキングポートにおいてフープによって第２光ファイバフィラメントを固定して光ファイバ束を形成して、前記導光アセンブリの前記ポートを形成する請求項７に記載の光治療システム。
【請求項１１】
前記ビーム整形モジュールは、１つの導光柱及び１つの平凸レンズを備え、前記導光柱はそれぞれ前記光源モジュール及び前記平凸レンズに光結合接続され、前記光源モジュール、前記導光柱及び前記平凸レンズの中心線は同一直線上にあり、前記導光柱は前記光源モジュールから出射される出射光をスペクトル混合し、前記平凸レンズはスペクトル混合後の出射光に対し出射角角度の圧縮を行い、前記整形収縮後の出射光を得て、
又は、
前記ビーム整形モジュールは１つのレンズ群を備え、前記レンズ群は一方側が前記光源モジュールに光結合接続され、他方側が前記導光ポートに光接続され、前記光源モジュールから出射される前記出射光の出射角を圧縮する請求項１に記載の光治療システム。
【請求項１２】
前記放熱モジュールはラジエータを備え、又は、前記放熱モジュールはラジエータ及びファンを備え、
前記光源モジュールが前記放熱モジュールのラジエータの表面と固定して接続される請求項１に記載の光治療システム。
【請求項１３】
前記電源モジュールは制御回路及び直流定電流駆動電源を備え、又は、
前記電源モジュールは、制御回路、直流定電流駆動電源及び電池を備える請求項１に記載の光治療システム。
【請求項１４】
前記光源アセンブリに、出射光の波長及び／又は強度を切り替える、又は照射モードを調整するためのボタンが設置される請求項１に記載の光治療システム。
【請求項１５】
前記光治療アセンブリに、治療中に前記ユーザーの治療部位を固定するための２組の対応する固定バックルが設置される請求項１に記載の光治療システム。
【請求項１６】
前記ウェアラブル光治療装置の形態は、
ウェアラブル帽子、ウェアラブルマフラー、ウェアラブルチョッキ、ウェアラブルボディス、ウェアラブルズボン、ウェアラブルアイマスク、ウェアラブルマスク、ウェアラブル肘当て、ウェアラブル靴下、ウェアラブル膝当て、ウェアラブルストラップ、ウェアラブルグローブ及びウェアラブルベルトのうちの少なくともいずれか１つを含み、
前記接触可能な光美容装置の形態は、
接触可能なフェイスマスク、接触可能な鼻マスク及び接触可能なアイマスクのうちの少なくともいずれか１つを含む請求項１に記載の光治療システム。
【請求項１７】
光源アセンブリ、光治療アセンブリ、及び前記光源アセンブリと前記光治療アセンブリとの間に設置される導光アセンブリを備える光治療システムであって、
前記光源アセンブリは、光源モジュールと、前記光源モジュールに電気的に接続される電源モジュールと、前記光源モジュールに接続される放熱モジュールと、前記放熱モジュールに接続され、中心が前記光源モジュールの中心に位置合わせする導光ポートと、を備え、
前記光源アセンブリと前記導光アセンブリは前記導光ポートを介して接続され、
前記光治療アセンブリは接触可能な光美容装置及び／又はウェアラブル光治療装置を備え、
前記電源モジュールは前記光源モジュールに給電し、前記光源モジュールは出射光を出射し、前記導光アセンブリは前記出射光を前記光治療アセンブリに伝導し、前記光治療アセンブリによってユーザーに光治療を提供し、前記放熱モジュールは前記光源モジュールで生じる熱エネルギーを放出する光治療システム。
【考案の詳細な説明】
【技術分野】
【０００１】
本願は健康医療分野に関し、特に光治療システムに関する。
【背景技術】
【０００２】
従来の多くの臨床医学実験によると、特定スペクトルの光照射は様々な疾患を効果的に治療することができ、赤色光及び赤外光は人体に作用し、主に局所的な血液循環を改善し、腫れ治し、鎮痛を促進し、筋緊張を低下させ、筋痙攣及び乾燥滲出性病変を軽減し、紫外線は消炎、鎮痛、抗くる病の作用を有し、皮膚の化膿性炎症及びほかの皮膚炎、疼痛症候群、くる病や軟骨病等の治療によく使用されており、可視光も広く使用されており、例えば、赤色光は創傷治癒を促進することに使用され、黄色光は肌の若返りに使用され、青色光は新生児キサンテミアの治療等に使用される。
【０００３】
現在、様々な携帯型光治療システムが市販されており、携帯型の設計は携帯性が高く、日常生活に支障をもたらすことがなく、家庭に普及できるメリットを有する。
【０００４】
しかしながら、現在、既存の携帯型光治療システムは、一般的に複数のＬＥＤビーズをアレイ状又はほかの形態で配列し、皮膚の表面に照射する方式を採用し、ＬＥＤビーズが治療対象の体表に接触し又はそれらの間隔が小さく、ＬＥＤビーズで生じる熱エネルギーが治療効果を妨げる恐れがあり、且つ同様にＬＥＤビーズの回路と体表との間隔が小さく、漏電の安全リスクがある。
【考案の概要】
【０００５】
本願は、従来技術の光治療システムの治療効果が悪く漏電の安全リスクがある問題を解決するために、光治療システムを提供することを１つの目的とする。
【０００６】
本願の一態様によれば、光治療システムを提供し、光源アセンブリ、光治療アセンブリ、及び前記光源アセンブリと前記光治療アセンブリとの間に設置される導光アセンブリを備え、
前記光源アセンブリは、光源モジュールと、前記光源モジュールに電気的に接続される電源モジュールと、前記光源モジュールにそれぞれ接続される放熱モジュール及びビーム整形モジュールと、前記ビーム整形モジュールに接続され、前記ビーム整形モジュールの中心に位置合わせする導光ポートと、を備え、
前記光源アセンブリと前記導光アセンブリは前記導光ポートを介して接続され、
前記光治療アセンブリは接触可能な光美容装置及び／又はウェアラブル光治療装置を備え、
前記電源モジュールは前記光源モジュールに給電し、前記光源モジュールは出射光を出射し、前記ビーム整形モジュールは前記出射光を整形収縮し、前記導光アセンブリは整形収縮後の出射光を前記光治療アセンブリに伝導し、前記光治療アセンブリによってユーザーに光治療を提供し、前記放熱モジュールは前記光源モジュールで生じる熱エネルギーを放出する。
【０００７】
さらに、上記光治療システムでは、前記ウェアラブル光治療装置は光ファイバ発光ユニット及びウェアラブルユニットを備え、
前記光ファイバ発光ユニットは一端が前記導光アセンブリに接続され、他端が前記ウェアラブルユニットに接続され、
前記導光アセンブリは整形収縮後の出射光を前記光ファイバ発光ユニットに伝導して、前記ウェアラブルユニットを装着しているユーザーに光治療を提供する。
【０００８】
さらに、上記光治療システムでは、前記光ファイバ発光ユニットは、第１光ファイバフィラメントを編組して形成される光ファイバクロス全体であり、
前記導光アセンブリは前記出射光を前記第１光ファイバフィラメントに伝導して、前記出射光が編組された前記光ファイバクロス全体に面光源を形成する。
【０００９】
さらに、上記光治療システムでは、前記光治療システムは、１つの前記光源アセンブリ、１つ又は複数の前記光治療アセンブリ、及びそれらに対応する前記導光アセンブリを備える。
【００１０】
さらに、上記光治療システムでは、前記光源アセンブリは、１つの前記電源モジュール、１つの前記放熱モジュール、１つ又は複数の前記光源モジュール、及びそれらに対応する前記ビーム整形モジュールと前記導光ポートを備え、
各前記光源モジュールは一組の前記ビーム整形モジュール及び一組の前記導光ポートに対応する。
【００１１】
さらに、上記光治療システムでは、前記導光アセンブリの両端に、前記光源アセンブリ及びウェアラブル光治療装置に接続されるポートがそれぞれ設置され、
前記導光アセンブリの一端の前記ポートが前記導光ポートに接続され、
前記導光アセンブリの他端の前記ポートが前記光ファイバ発光ユニットの一端のポートに接続される。
【００１２】
さらに、上記光治療システムでは、前記接触可能な光美容装置は光ファイバ層を備え、前記光ファイバ層内に第２光ファイバフィラメントが分布しており、前記光ファイバ層が前記導光アセンブリに接続され、
前記導光アセンブリは整形収縮後の出射光を前記光ファイバ層に伝導して、前記接触可能な光美容装置を貼着しているユーザーに光治療を提供する。
【００１３】
さらに、上記光治療システムでは、前記光ファイバ層は前記第２光ファイバフィラメントを配列して光ファイバクロス全体を形成し、又は、前記光ファイバ層は前記光ファイバ層内に挿通された第２光ファイバフィラメントを編組して光ファイバクロス全体を形成し、
前記導光アセンブリは前記整形収縮後の出射光を前記第２光ファイバフィラメントに伝導して、前記整形収縮後の出射光が前記光ファイバクロスに面光源を形成する。
【００１４】
さらに、上記光治療システムでは、前記接触可能な光美容装置は、前記光ファイバ層に接着される接触層をさらに備え、又は、
前記接触可能な光美容装置は接触層及び反射層をさらに備え、前記光ファイバ層の一方の面が前記接触層に接着され、前記光ファイバ層の他方の面が前記反射層に接着される。
【００１５】
さらに、上記光治療システムでは、前記光ファイバ層のエッジに１つのドッキングポートが設置され、前記導光アセンブリの両端に、前記光源アセンブリ及び前記接触可能な光美容装置に接続されるポートそれぞれが設置され、前記導光アセンブリの一端の前記ポートが前記導光ポートに接続され、前記導光アセンブリの他端の前記ポートが前記光ファイバ層の前記ドッキングポートに接続され、
又は、前記光ファイバ層のエッジに１つのドッキングポートが設置され、前記導光アセンブリの一端のみに、前記ドッキングポートに嵌合接続されるポートが設置され、前記ドッキングポートにおいてフープによって第２光ファイバフィラメントを固定して光ファイバ束を形成して、前記導光アセンブリの前記ポートを形成する。
【００１６】
さらに、上記光治療システムでは、前記ビーム整形モジュールは１つの導光柱及び１つの平凸レンズを備え、前記導光柱はそれぞれ前記光源モジュール及び前記平凸レンズに光結合接続され、前記光源モジュール、前記導光柱及び前記平凸レンズの中心線は同一直線上にあり、前記導光柱は前記光源モジュールから出射される出射光をスペクトル混合し、前記平凸レンズはスペクトル混合後の出射光に対し出射角角度の圧縮を行い、前記整形収縮後の出射光を得て、
又は、
前記ビーム整形モジュールは１つのレンズ群を備え、前記レンズ群は一方側が前記光源モジュールに光結合接続され、他方側が前記導光ポートに光接続され、前記光源モジュールから出射される前記出射光の出射角を圧縮する。
【００１７】
さらに、上記光治療システムでは、前記放熱モジュールはラジエータを備え、又は、前記放熱モジュールはラジエータ及びファンを備え、
各前記光源モジュールが前記放熱モジュールのラジエータの表面と固定して接続される。
【００１８】
さらに、上記光治療システムでは、前記電源モジュールは制御回路及び直流定電流駆動電源を備え、又は、
前記電源モジュールは、制御回路、直流定電流駆動電源及び電池を備える。
【００１９】
さらに、上記光治療システムでは、前記光源アセンブリに、出射光の波長及び／又は強度を切り替える、又は照射モードを調整するためのボタンが設置される。
【００２０】
さらに、上記光治療システムでは、前記光治療アセンブリに、治療中に前記ユーザーの治療部位を固定するための２組の対応する固定バックルが設置される。
【００２１】
さらに、上記光治療システムでは、前記ウェアラブル光治療装置の形態は、
ウェアラブル帽子、ウェアラブルマフラー、ウェアラブルチョッキ、ウェアラブルボディス、ウェアラブルズボン、ウェアラブルアイマスク、ウェアラブルマスク、ウェアラブル肘当て、ウェアラブル靴下、ウェアラブル膝当て、ウェアラブルストラップ、ウェアラブルグローブ及びウェアラブルベルトのうちの少なくともいずれか１つを含み、
前記接触可能な光美容装置の形態は、
接触可能なフェイスマスク、接触可能な鼻マスク及び接触可能なアイマスクのうちの少なくともいずれか１つを含む。
【００２２】
従来技術に比べて、本願の光治療システムは、光源アセンブリ、光治療アセンブリ、及び前記光源アセンブリと前記光治療アセンブリとの間に設置される導光アセンブリを備え、導光アセンブリは良好な絶縁性を有し且つ導光するが熱伝導性がないため、該光治療システムの電源は安全性が高く副作用が生じ難い。前記光源アセンブリは、光源モジュールと、前記光源モジュールに電気的に接続される電源モジュールと、前記光源モジュールにそれぞれ接続される放熱モジュール及びビーム整形モジュールと、前記ビーム整形モジュールに接続され、前記ビーム整形モジュールの中心に位置合わせする導光ポートと、を備え、前記光源アセンブリと前記導光アセンブリは前記導光ポートを介して接続され、前記光治療アセンブリは接触可能な光美容装置及び／又はウェアラブル光治療装置を備え、前記電源モジュールは前記光源モジュールに給電し、前記光源モジュールは出射光を出射し、前記ビーム整形モジュールは前記出射光を整形収縮して光伝導効率を向上させ、前記導光アセンブリは整形収縮後の出射光を前記光治療アセンブリに伝導し、前記光治療アセンブリによってユーザーに光治療を提供し、前記放熱モジュールは前記光源モジュールで生じる熱エネルギーを放出することに用いられ、それにより光源アセンブリの光源モジュールで生じる熱エネルギーが治療を妨げることを回避し、さらに治療効果を向上させることができる。
【００２３】
以下の図面を参照して行われる非限定的な実施例についての詳細説明を閲覧することによって、本願のほかの特徴、目的及び利点が明らかになる。
【図面の簡単な説明】
【００２４】
【図１】本願の一態様に係る光治療システムのモジュール模式図を示す。
【図２】本願の別の態様に係る光治療システムのモジュール模式図を示す。
【図３】本願の一態様に係る光治療システムの光源アセンブリの構造模式図を示す。
【図４】本願の一態様に係る光治療膝当ての光治療アセンブリの構造模式図を示す。
【図５】本願の一実施例に係る固定バックルがない光治療膝当ての光治療システムの構造模式図を示す。
【図６】本願の一実施例に係る固定バックルがない光治療膝当ての光治療システムの構造模式図を示す。
【図７】本願の一実施例における光治療帽子に対応する光治療システムの構造模式図を示す。
【図８】本願の一実施例における光治療靴下に対応する光治療システムの構造模式図を示す。
【図９】本願の一実施例における光治療グローブに対応する光治療システムの構造模式図を示す。
【図１０】本願の一実施例における光治療ズボンに対応する光治療システムの構造模式図を示す。
【図１１】本願の一実施例における光治療チョッキに対応する光治療システムの構造模式図を示す。
【図１２】本願の一態様に係る光治療システムの光源アセンブリの光源モジュールの構造模式図を示す。
【図１３】本願の一態様に係る光治療システムのビーム整形モジュールがテーパー状の柱体である構造模式図を示す。
【図１４】本願の一態様に係る光治療システムのビーム整形モジュールが円形の柱体である構造模式図を示す。
【図１５】本願の一態様に係る光治療システムのビーム整形モジュールが１つのレンズ群を備える構造模式図を示す。
【図１６】本願のさらに別の態様に係る光治療システムのモジュール模式図を示す。
【図１７】本願の一態様に係る光治療システムの光ファイバ層の第２光ファイバフィラメントが配列形態である模式図を示す。
【図１８】本願の一態様に係る光治療システムの光ファイバ層の第２光ファイバフィラメントが挿通編組形態である模式図を示す。
【図１９】本願の一態様に係る光治療システムの光治療システムの構造模式図を示す。
【図２０】本願の別の態様に係る光治療システムの光治療システムの構造模式図を示す。
【図２１】本願の別の態様に係る光治療システムの光ファイバ層の側面発光光ファイバの構造模式図を示す。
【考案を実施するための形態】
【００２５】
接触可能な光治療
考案を実施するための形態
以下、図面を参照しながら本願をさらに詳細に説明する。図面中の同一又は類似符号は同一又は類似の部材を示す。
【００２６】
図１に示すように、本願の一実施例における光治療システムは、光源アセンブリ１、光治療アセンブリ２（前記光治療システムはＮ個の光治療アセンブリを備えてもよく、例えば、図１に示される光治療アセンブリＶ１、光治療アセンブリＶ２、光治療アセンブリＶ３、・・・、光治療アセンブリＶＮであり、Ｎは１以上の正整数である）、及び前記光源アセンブリ１と前記光治療アセンブリ２との間に設置される導光アセンブリ３（前記接触可能な光治療システムの各光治療アセンブリ２は１つの導光アセンブリ３に対応し、例えば、図１中の導光アセンブリｍ１は光治療アセンブリＶ１に対応し、導光アセンブリｍ２は光治療アセンブリＶ２に対応し、・・・導光アセンブリｍＮは光治療アセンブリＶＮに対応する）を備え、導光アセンブリ３は光源アセンブリ１で生じる光エネルギーを光治療アセンブリ２に伝導し、前記光治療アセンブリ２によってユーザーに光治療を提供し、また、導光アセンブリが良好な電気絶縁性及び熱絶縁性を有するため、ユーザーが光治療システムを使用する際に、漏電や局所的な温度が高すぎるリスクがあり、安全性が高く、副作用が生じ難い。
【００２７】
図３に示すように、該光治療システムの前記光源アセンブリ１は光源モジュール１１、電源モジュール１２、放熱モジュール１３、ビーム整形モジュール１４、導光ポート１５及び筐体１６を備え、該筐体１６の材質は金属又はプラスチックであり、前記電源モジュール１２は前記光源モジュール１１に電気的に接続され、前記光源モジュール１１に電源を供給し、
前記光源モジュール１１はそれぞれ前記放熱モジュール１３及び前記ビーム整形モジュール１４に接続され、それによって前記放熱モジュール１３は前記光源モジュール１１で生じる熱エネルギーを放出し、光源モジュールの過熱によって発光効率が低下して治療効果を損なうことを回避し、光源モジュール１１は出射光を出射し、該出射光は紫外光、可視光及び赤外光など治療に使用できるスペクトルを含むが、これらに限定されず、本願のすべての実施例における該光源モジュール１１は、ＬＥＤ光源、レーザー光源、ハロゲン光源及びガス放電光源等を含むが、これらに限定されず、上記光源モジュール１１から出射される光の波長は紫外光、可視光又は赤外光のうちの１種又は複数種を含み、
光源モジュール１１に接続されるビーム整形モジュール１４は光源モジュール１１から出射される出射光を整形収縮して、導光アセンブリ３によって光ファイバ層に伝導された治療用の光を、ビーム整形モジュール１４によって整形収縮された出射光にし、光エネルギーを光源モジュール１１から導光アセンブリ３に伝導する伝導効率を向上させ、
導光ポート１５はビーム整形モジュール１４に接続され、導光アセンブリに接続されるポートを有し、ビーム整形モジュール１４の中心に位置合わせして設置され、それにより出射光のすべてを導光ポートを介して導光アセンブリ３に導入することを確保し、該導光ポート１５を介して光源アセンブリ１と導光アセンブリ３を接続することを実現し、
本願の実施例では、前記光治療アセンブリ２は、図２に示すように、ウェアラブル光治療装置２１を備えてもよく、図１６に示すように、接触可能な光美容装置２２を備えてもよく、
図４に示すように、前記ウェアラブル光治療装置２１は、光ファイバ発光ユニット２１１及びウェアラブルユニット２１２を備え、前記光ファイバ発光ユニット２１１は一端が前記導光アセンブリ３に接続され、他端が前記ウェアラブルユニット２１２に接続され、導光アセンブリ３は光源アセンブリ１の光源モジュール１１で生じる出射光をビーム整形モジュール１４で整形収縮した後、光ファイバ発光ユニット２１１に伝導して、前記ウェアラブルユニット２１２を装着しているユーザーに光治療を提供する。
【００２８】
本願の一実施例では、前記電源モジュール１２は制御回路及び直流定電流駆動電源を備えてもよく、前記直流定電流駆動電源は光源モジュール１１に電源を供給し、前記制御回路は光源モジュール１１に供給される電源の変化を制御し、別の実施例では、該電源モジュール１２は制御回路、直流定電流駆動電源及び電池を備えてもよく、それにより、該光治療システムは電源を直接接続していない場合、電池を使用して光治療システムに電源を供給することができ、持ち運びやすく、ユーザーに求められる光治療システムの携帯性の要件を満たす。
【００２９】
ここで、ＬＥＤ光源及び電源モジュールが光源アセンブリの内部に設置されるため、使用中、治療を受けるユーザーの治療部位（体表等）の表面に接触する光ファイバが導光するだけで、電気や熱を伝導せず、漏電や局所的な温度が高すぎるリスクがなく、ユーザーの光治療中の安全リスクを回避し、使用上の安全性をさらに向上させる。
【００３０】
図１２に示すように、該ＬＥＤ光源はＬＥＤチップ１０１、熱伝導性基板１０２、給電電極１０３及び取付孔１０４を備えてなり、該ＬＥＤチップ１０１は熱伝導性基板１０２の中央部に設置され、該給電電極１０２は前記ＬＥＤチップの発光に電源を供給し、前記取付孔１０４を介してＬＥＤ光源全体が光源アセンブリ１に取り付けられ、前記ＬＥＤチップ１０１の数は１つ又は複数であり、該光源アセンブリ１のＬＥＤ光源から出射される出射光のスペクトルは該ＬＥＤチップ１０１の種類及び数に応じて決定される。
【００３１】
本願の一実施例では、前記放熱モジュール１３はラジエータを備えてもよく、該ラジエータは光源モジュール１１で生じる熱エネルギーをタイムリーに放出して、光源モジュール１１の寿命及び効率を確保し、又は、前記放熱モジュール１３はラジエータ及びファンを備えてもよく、ラジエータとファンを組み合わせることで、光源モジュール１１で生じる熱エネルギーをタイムリーかつ迅速に放出し、光源モジュール１１の寿命及び効率をさらに確保する。
【００３２】
本願の一実施例における光治療システムの前記ビーム整形モジュール１４は１つの導光柱及び１つの平凸レンズ１４２を備え、ここで、前記導光柱はテーパー状の柱体（図１３中のテーパー状の導光柱１４１を参照）又は円形の柱体（図１４中の円形の導光柱１４１’を参照）であり、前記導光柱１４１はそれぞれ前記光源モジュール１１及び前記平凸レンズ１４２に光結合接続され、前記光源モジュール１１、前記導光柱１４１及び前記平凸レンズ１４２の中心線は同一直線上にあり、前記導光柱１４１は前記光源モジュール１１から出射される出射光をスペクトル混合し、光源モジュール１１から出射される出射光のスペクトル混合の目的を達成し、混合後のスペクトルをさらに均一にし、前記平凸レンズ１４２はスペクトル混合後の出射光に対し出射角の角度圧縮を行い、前記整形収縮後の出射光を得て、光結合効率を向上させる。図１３中のテーパー状の導光柱１４１のテーパー状構造によって、光源モジュール１１から出射される出射光の出射角の角度を圧縮でき、さらに光エネルギーが導光アセンブリに入る効率を向上させる。
【００３３】
図１５に示すように、本願の別の実施例における光治療システムの前記ビーム整形モジュール１４は１つのレンズ群１４３を備え、該レンズ群１４３は２つの平凸レンズを備え、前記レンズ群１４３は一方側が前記光源モジュール１１に光結合接続され、他方側が前記導光ポート１５に光接続され、前記レンズ群１４３は前記光源モジュール１１から出射される前記出射光の出射角を圧縮する。
【００３４】
本実施例では、ビーム整形モジュール１４の導光柱及び／又はレンズ群、及びレンズはいずれも高透過率の材質であり、それによって光源モジュール１１（例えば、ＬＥＤ光源等）から出射される出射光を導光アセンブリ３に効率よく結合し、さらに光エネルギーの導入効率を向上させる。
【００３５】
勿論、本願の光治療システムのビーム整形モジュール１４は導光柱及び平凸レンズの構造を備えてもよいだけでなく、レンズ群の構造をさらに備えてもよく、既存の又は将来出現する可能性がある出射光を整形収縮するためのビーム整形モジュール１４のほかの任意の形態の構造はいずれも、本願の保護範囲に属する。
【００３６】
図１に示すように、本願の実施例における光治療システムは、１つの前記光源アセンブリ１、１つ又は複数の前記光治療アセンブリ２、及びそれらに対応する前記導光アセンブリ３を備え、１つの光源アセンブリ１は複数組の導光アセンブリ３及び光治療アセンブリ２と同時に組み合わせて使用でき、設計の携帯性をさらに向上させ、光源アセンブリ１にも、それぞれ導光アセンブリ３に接続される複数の導光ポート１６が設置され、即ち、本願の実施例における光治療システムでは、光治療アセンブリ２は１つ又は複数であってもよく、各光治療アセンブリ２は１つの導光アセンブリ３及び光源アセンブリ１に対応して接続され、複数のユーザーの複数の部位に対する同時光治療を実現でき、該光治療システムの実用性を向上させる。
【００３７】
続いて、本実施例では、光源アセンブリ１は多くともＮ（Ｎは１以上の正整数）個の導光アセンブリ及び対応する光治療アセンブリに接続され、この場合、該光源アセンブリ１の内部は、１つの前記電源モジュール１２、１つの前記放熱モジュール１３、Ｎ個の光源モジュール１１、及びそれらにそれぞれ対応するＮ個のビーム整形モジュール１４とＮ個の導光ポート１５を備え、Ｎ個の光源モジュール１１の各々は放熱モジュール１３のラジエータの表面に同時に固定されて、ラジエータの表面に固定して接続され、さらに各光源モジュールで生じる熱エネルギーをタイムリーに放出することができ、各光源モジュール１１は一組の前記ビーム整形モジュール及び一組の前記導光ポートに対応して、各光源モジュール１１から出射される出射光をすべて対応するビーム整形モジュール１４、導光ポート１５、導光アセンブリ３を通過させることを確保し、該整形収縮後の出射光を、該導光アセンブリに対応して接続される光治療アセンブリ２に対応して伝導し、それによって異なるユーザーの異なる部位に対する指向性のある効果的な光治療を実現することができる。
【００３８】
本願の一実施例における光治療システムでは、ウェアラブル光治療装置２１は光ファイバ発光ユニット２１１及びウェアラブルユニット２１２を備え、前記光ファイバ発光ユニット２１１は、第１光ファイバフィラメントを編組して形成される光ファイバクロス全体であり、該第１光ファイバフィラメントの材質はプラスチックであり、前記ウェアラブルユニット２１２は肌にやさしい材料からなり、それによってユーザーはウェアラブルユニットを光治療対象の部位に密着させることができ、さらに治療部位の皮膚への害を回避でき、該導光アセンブリ２によって、光源モジュール１１から出射される出射光を光治療アセンブリ２の第１光ファイバフィラメントに伝導でき、第１光ファイバフィラメントが編組中に湾曲するため、光源モジュール１１から発する出射光が湾曲部で側面から漏れて光ファイバクロス全体に面光源を形成し、該面光源をウェアラブルユニットを介して治療対象のユーザーの治療部位に密着させて照射することによって、ユーザーの治療対象の部位に対する光治療の目的を達成できる。前記出射光で編組された前記光ファイバ布全体に面光源を形成する。
【００３９】
本願の一実施例における光治療システムでは、前記導光アセンブリ３の両端に、前記光源アセンブリ１及びウェアラブル光治療装置２１に接続されるポートがそれぞれ設置され、該ポートは、使用中、該導光アセンブリ３の一端の前記ポートが光源アセンブリ１の対応する導光ポート１６に接続され、該導光アセンブリ３の他端の前記ポートが対応する前記光ファイバ発光ユニット２１１の一端のポートに接続され、光源アセンブリ１の光源モジュールが出射する出射光をビーム整形収縮してウェアラブル光治療装置２１の光ファイバ発光ユニット２１１に伝導することを実現し、さらに光源アセンブリ１とウェアラブル光治療装置２１とを接続する目的を達成する。
【００４０】
本願の一実施例における光治療システムでは、前記光源アセンブリ１にボタン１７が設置され、図４及び５に示すように、該光源アセンブリ１のボタン１７は出射光の波長及び／又は強度を切り替える、又は照射モードを調整することに用いられ、該光治療システムは異なる皮膚に応じて異なる照射スキームを調整することができ、この場合、異なる照射スキーム及び出射光の切り替えは光源アセンブリ１のボタン１７をトリガーすることで実現され、異なるユーザーの光治療中の異なる照射のニーズを満たす。
【００４１】
本願の一実施例における光治療システムでは、前記光治療アセンブリ２には、２組の対応する固定バックル２３が設置され、図３に示すように、光治療対象の治療部位を効果的に光治療できるように、治療中に前記ユーザーの治療部位を固定することに用いられる。
【００４２】
本願のすべての実施例における光治療システムでは、前記ウェアラブル光治療装置２１の形態は様々であり、
ウェアラブル帽子、ウェアラブルマフラー、ウェアラブルチョッキ、ウェアラブルボディス、ウェアラブルズボン、ウェアラブルアイマスク、ウェアラブルマスク、ウェアラブル肘当て、ウェアラブル靴下、ウェアラブル膝当て、ウェアラブルストラップ、ウェアラブルグローブ及びウェアラブルベルトのうちの少なくともいずれか１つを含む。勿論、本願のウェアラブル光治療装置２１に適用できるほかの形態はすべて本願に適用でき、本願の保護範囲に属する。
【００４３】
図４に示すように、本願の一実施例は光治療膝当ての接触可能な光治療装置２１の構造模式図を提供し、該膝当ての中間領域は第１光ファイバフィラメント２１１１を編組してなる発光領域２１１２であり、使用時、発光領域２１１２を治療対象の治療部位に位置合わせして密着させ、治療部位を包み、両側の固定バックル２３で固定し、発光領域２１１２が出射する光を導光アセンブリ３から導入し、該導入されたスペクトル（出射光）はＬＥＤ光源の出射波長及び強度によって決定される。
【００４４】
図５及び図６に示すように、本願の一実施例は固定バックルがない光治療膝当ての光治療システムの光伝送構造模式図を提供し、図５中のウェアラブル光治療装置２１の光ファイバ発光ユニット２１１は第１光ファイバフィラメントを編組してなる１つの光ファイバクロスから構成され、図６中のウェアラブル光治療装置２１の光ファイバ発光ユニット２１１は第１光ファイバフィラメントを編組してなる２つの光ファイバクロスから構成され、両脚の膝に光治療を同時に提供できる。
【００４５】
図７〜図１１に示すように、それぞれ本願の一実施例における光治療帽子、光治療靴下、光治療グローブ、光治療ズボン及び光治療チョッキに対応する光治療システムの構造模式図であり、図７中の光治療帽子２１’の光源アセンブリ１は赤色光及び近赤外光を出射する時、脱毛症を治療でき、図８中の光治療靴下２１’’の光源アセンブリ１は赤色光と青色光を同時に照射することによって、殺菌、消炎及び腫れ治しの治療効果を達し、図９中の光治療グローブ２１’’’は光源アセンブリ１が対応して出射する出射光によって、ユーザーの手部のリウマチ等を治療し、図１０中の光治療ズボン２１’’’’は光源アセンブリ１が対応して出射する出射光によって、ユーザーの下半身の大腿、小腿及びズボンとの接触部を光治療し、リウマチ等による下半身麻痺等の症状を緩和し、図１１中の光治療チョッキ２１’’’’’は光治療アセンブリ１が出射する出射光によってユーザーの背中を光治療又はマッサージし、湿気除去、疲労緩和等の治療効果を達し、以上からわかるように、本願の光源アセンブリ１が出射する光治療用のスペクトル（出射光）はユーザーニーズに応じて調整可能であり、それにより適切な特定の治療を実現する。また、さらに光治療ベルト、光治療ストラップ等の光治療アセンブリが挙げられ、対応する波長の光源アセンブリと組み合わせて、ユーザーの異なる部位に対する光治療又は健康管理の目的を実現する。
【００４６】
本願に係る光治療システムは、光源アセンブリ、導光アセンブリ及び光治療アセンブリを備え、該光治療アセンブリがウェアラブル光治療装置である場合、該光源アセンブリは１種又は複数種の特定の波長の光を出射でき、光治療時に照射を行い、その光源がＬＥＤ光源であってもよく、導光アセンブリは光源アセンブリとウェアラブル光治療装置との間に設置され、光源アセンブリで生じる光エネルギーをウェアラブル光治療装置に伝導する。本願に係るウェアラブル式光治療システムは、光を照射することによって皮膚疾患、リウマチ等の様々な疾患の治療や健康管理を行うことができるという特性を利用して、特定のスペクトルの光を側面発光光ファイバモジュールによって治療を受ける表面に均一に照射し、また、光ファイバが良好な絶縁性を有し、導光するだけで、熱を伝導しないため、従来の伝統的な機器に比べて、本願の光治療システムはＬＥＤ光源を使用することで、安全で、副作用が生じ難いメリットを有し、普及させるだけの充分な価値を有する。
【００４７】
本願の別の実施例では、前記光治療アセンブリ２が接触可能な光美容装置２２である場合、図１６に示すように、接触可能な光美容装置２２は光ファイバ層２２１を備え、前記光ファイバ層２２１内に第２光ファイバフィラメント２２１１が分布しており、前記光ファイバ層２２１が前記導光アセンブリ３に接続され、前記導光アセンブリ３を介して、ビーム整形モジュール１４によって整形収縮された出射光を光ファイバ層２２１に伝導することができて、前記光治療システムを貼着しているユーザーに光治療を提供し、光照射熱罨対象のユーザーの対応する皮膚部位に対する接触光治療を実現して、ユーザーの皮膚の美容の目的を達成する。
【００４８】
なお、本願の実施例における第２光ファイバフィラメント及び第１光ファイバフィラメントの材質はいずれも同じであり、又は同一種類／類似材質から構成される光ファイバフィラメントであり、該第２光ファイバフィラメントの数及び第１光ファイバフィラメントの数はいずれも少なくとも１本であり、すなわち、第１光ファイバフィラメントは１本又は複数の光ファイバから構成され、第２光ファイバフィラメントも１本又は複数の光ファイバから構成されてもよい。
【００４９】
ここで、該光治療システムの接触可能な光美容装置２２の形態は、接触可能なフェイスマスク、接触可能な鼻マスク及び接触可能なアイマスクなどを含んでもよく、勿論、本願の接触可能な光美容装置２２に適用できるほかの形態はすべて本願に適用でき、本願の保護範囲に属する。
【００５０】
本願の一実施例における光源モジュール１１は、図１２に示されるＬＥＤ光源であり、該ＬＥＤ光源は１種又は複数種の波長の光を出射でき、所要のスペクトル、エネルギーと組み合わせて特定の出力を行い、導光ポート１５に接続される導光アセンブリを介して接触可能な光美容装置２２の光ファイバ層２２１内の第２光ファイバフィラメント２２１１に伝導し、該第２光ファイバフィラメント２２１１の材質はプラスチックであってもよく、ユーザーの皮膚部位の表面の接触可能な部位に対する光美容を実現する。
【００５１】
本願の一実施例における光治療システムでは、該接触可能な光美容装置２２は光ファイバ層２２１を備え、光ファイバ層２２１は、前記第２光ファイバフィラメント２１１を配列して光ファイバクロス全体を形成し、図１７に示される。又は、前記光ファイバ層２２１１は、前記光ファイバ層２２１内に挿通された第２光ファイバフィラメント２２１１を編組して光ファイバクロス全体を形成し、図１８に示され、前記導光アセンブリ３は前記整形収縮後の出射光を前記第２光ファイバフィラメント２２１１に伝導して、前記整形収縮後の出射光で前記光ファイバクロスに面光源を形成し、該面光源を光ファイバ層又は接触層を介して光治療対象のユーザーの皮膚部位に密着させて光治療を行うことによって、ユーザーの治療対象の皮膚部位に対する光治療の目的を達成することができる。
【００５２】
本実施例では、図１８に示される光治療システムの接触可能な光美容装置２２は光ファイバ層２２１のみから構成され、該光ファイバ層２２１内に挿通編組の形態で挿通編組された第２光ファイバフィラメント２２１１が挿通され、該第２光ファイバフィラメント２２１１は側面発光光ファイバからなり、図２１は、側面発光光ファイバの構造模式図であり、該側面発光光ファイバを光ファイバ層内に挿通編組し、側面発光光ファイバの材質が透明なプラスチックであり、光ファイバを湾曲させることで光ファイバを側面発光可能にし、それによって光治療システムの光ファイバ層２２１の均一発光を実現し、図１８は、本願における光治療システムの接触可能な光美容装置２２が光ファイバ層のみであり、且つ該接触可能な光美容装置２２が接触可能フェイスマスクである場合に対応する実際応用模式図であり、図１８中の接触可能な光美容装置２２に対応する光治療システムでは、光源アセンブリの光源モジュール１１から出射する出射光に対して、ビーム整形モジュール１４による整形収縮及び出射光の出射角の角度圧縮を行った後、光エネルギーの効果的な結合を実現し、さらに整形収縮後の出射光（スペクトルがより均一な出射光）を導光アセンブリ３を介して接触可能な光美容装置２２の光ファイバ層２２１に伝送して、前記接触可能な光美容装置２２を貼着しているユーザーに光治療を提供し、光照射熱罨対象のユーザーの対応する皮膚部位に対する接触光治療を実現する。
【００５３】
勿論、本実施例の図１８の実際応用模式図では、第２光ファイバフィラメント２２１１が編組の形態で光ファイバ層２２１内に挿通編組された後、接触可能な光美容装置２２をユーザーの光治療対象の皮膚部位に貼着するぴったり度や体験を向上させるために、第２光ファイバフィラメント２２１１が光ファイバ層に挿通編組された後、第２光ファイバフィラメント２２１１を挿通編組した光ファイバ層２２１内に、例えば、ケイ酸ゲル等の高活性吸着材を充填し、光ファイバ層２２１の表面をさらに平坦かつ滑らかにし、さらにユーザーの光治療対象の皮膚部位に平坦に貼着するぴったり度及び密着効果を向上させ、また、光ファイバ層２２１内の第２光ファイバフィラメント２２１１の材質がプラスチックであり、導光するが熱や電気を伝導しないという特性を有するため、ユーザーが光ファイバ層を光治療対象の皮膚部位に直接平坦に貼着する時、漏電等の安全問題がなく、ユーザーの使用上の安全性を向上させる。
【００５４】
本願の一実施例では、図１９に示すように、本願の光治療システムの接触可能な光美容装置２２は前記光ファイバ層２２１に接着される接触層２２２をさらに備え、すなわち、接触可能な光美容装置２２は光ファイバ層２２１及び接触層２２２を備え、該接触層２２２と光ファイバ層２２１の全体的な寸法及び形状が類似することで、接触層２２２が光ファイバ層２２１に相互にマッチングするように接着でき、接触層２２２をユーザーの光治療対象の皮膚部位に貼着接触し、該接触層２２２に接着される光ファイバ層２２１内に分布している第２光ファイバフィラメント２２１１が側面発光することによって、ユーザーに対し光治療を行い、勿論、該接触層２２２は治療対象の皮膚部位に接触するだけでなく、さらに皮膚への栄養溶液を含む接触可能な膜であってもよく、例えば、従来のフェイスマスク、アイマスク及び鼻マスク等が挙げられ、それにより、光ファイバ層２２１によってユーザーの治療対象の皮膚部位を光治療するとともに、ユーザーの皮膚部位に対し補水、美白及び皮膚栄養補給等のスキンケアを行うことができ、さらにユーザーの治療対象の皮膚部位に対する光治療及びスキンケアを実現し、さらに光治療システムのユーザー体験を向上させる。
【００５５】
本願の別の実施例では、図２０に示すように、前記接触可能な光美容装置２２は接触層２２２及び反射層２２３をさらに備え、前記光ファイバ層２２１は一方の面が前記接触層２２２に接着され、他方の面が前記反射層２２３に接着され、すなわち、接触可能な光美容装置２２は光ファイバ層２２１、接触層２２２及び反射層２２３を備え、該接触層２２２、反射層２２３及び光ファイバ層２２１の全体的な寸法及び形状が類似することで、接触層２２２、反射層２２３及び光ファイバ層２２１が相互にマッチングするように接着できる。光ファイバ層２２１内の第２光ファイバフィラメント２２１１が側面発光光ファイバであるため、光ファイバ層２２１内で側面発光した後、光ファイバ層２２１の一方の側面が接触層２２２に接着され、ユーザーの光治療対象の皮膚部位に対する光治療を実現できるが、光ファイバ層２２１の他方の側面に側面発光による光エネルギー浪費や損失が生じるため、光ファイバ層２２１の他方の側面に該反射層２２３が設置され、反射層２２３によって光ファイバ層の他方の側面の側面発光を反射して光ファイバ層２２１に戻し、それにより、接触可能な光美容装置２２に伝導される出射光の光エネルギー浪費を回避できるだけでなく、光ファイバ層２２１に伝導される出射光の利用率を効果的に向上させ、出射光の利用率を最大化することができる。
【００５６】
本願の上記実施例では、接触可能な光美容装置２２は接触可能なフェイスマスク、接触可能な鼻マスク及び接触可能なアイマスク等であってもよく、該接触可能な光美容装置２２が接触可能なフェイスマスクである場合、接触可能なフェイスマスクの顔領域に配列又は挿通編組された第２光ファイバフィラメント２２１１の密度を高めることで、光治療対象の顔を効果的に照射でき、該接触可能な光美容装置２２が接触可能な鼻マスクである場合、接触可能な鼻マスクの鼻周り領域に配列又は挿通編組された第２光ファイバフィラメント２２１１の密度を高めることで、鼻及びその周りを重点的に照射でき、鼻の皮膚に対する照射及び美容（例えば、角栓やにきびの除去等）を実現し、該接触可能な光美容装置２２が接触可能なアイマスクである場合、接触可能なアイマスクの目の上下領域及び目尻周りの領域に配列又は挿通編組された第２光ファイバフィラメント２２１１の密度を高めることで、目尻の烏の足跡、目袋や目のクマ等の目周りの皮膚を重点的に照射して、目周りの皮膚に対する照射及び美容ケアを達成し、ユーザーがより良好な顔（鼻周り及び目周り等）環境を有するようにする。
【００５７】
本願の一実施例における光治療システムでは、前記光ファイバ層２２１のエッジに１つのドッキングポートが設置され、前記導光アセンブリ３の両端に、前記光源アセンブリ１及び前記接触可能な光美容装置２２に接続されるポートがそれぞれ設置され、前記導光アセンブリ３は一端の前記ポートが前記導光ポート１５に接続され、他端の前記ポートが前記光ファイバ層２２１の前記ドッキングポートに接続され、導光アセンブリ３を介して光源アセンブリ１の光源モジュール１１が出射する出射光をビーム整形モジュール１４によって整形収縮した後、前記接触可能な光美容装置２２の光ファイバ層２２１に伝導し、さらに光源アセンブリ１１と接触可能な光美容装置２２とを接続する目的を達成する。
【００５８】
本願の別の態様は光治療システムをさらに提供し、光源アセンブリ、光治療アセンブリ、及び前記光源アセンブリと前記光治療アセンブリとの間に設置される導光アセンブリを備え、
前記光源アセンブリは、光源モジュールと、前記光源モジュールに電気的に接続される電源モジュールと、前記光源モジュールに接続される放熱モジュールと、前記放熱モジュールに接続され、中心が前記光源モジュールの中心に位置合わせする導光ポートと、を備え、
前記光源アセンブリと前記導光アセンブリは前記導光ポートを介して接続され、
前記光治療アセンブリは接触可能な光美容装置及び／又はウェアラブル光治療装置を備え、
前記電源モジュールは前記光源モジュールに給電し、前記光源モジュールは出射光を出射し、前記導光アセンブリは前記出射光を前記光治療アセンブリに伝導し、前記光治療アセンブリによってユーザーに光治療を提供し、前記放熱モジュールは前記光源モジュールで生じる熱エネルギーを放出する。
【００５９】
以上のように、本願に係る光治療システムは、光源アセンブリ、光治療アセンブリ、及び前記光源アセンブリと前記光治療アセンブリとの間に設置される導光アセンブリを備え、導光アセンブリが良好な絶縁性を有し、導光するだけで、熱を伝導しないため、該光治療システムの電源の安全性が高く、副作用が生じ難い。前記光源アセンブリは、光源モジュールと、前記光源モジュールに電気的に接続される電源モジュールと、前記光源モジュールにそれぞれ接続される放熱モジュール及びビーム整形モジュールと、前記ビーム整形モジュールに接続され、中心が前記ビーム整形モジュールの中心に位置合わせする導光ポートと、を備え、前記光源アセンブリと前記導光アセンブリは前記導光ポートを介して接続され、前記接触可能な光美容装置は光ファイバ層を備え、前記光ファイバ層内に第２光ファイバフィラメントが分布しており、前記光ファイバ層が前記導光アセンブリに接続される。前記電源モジュールは前記光源モジュールに給電し、前記光源モジュールは出射光を出射し、前記ビーム整形モジュールは前記出射光を整形収縮して光伝導効率を向上させ、前記導光アセンブリは整形収縮後の出射光を前記光ファイバ層に伝導して、前記接触可能な光美容装置を貼着しているユーザーに光治療を提供し、ユーザーの皮膚に対する光治療熱罨を実現し、前記放熱モジュールは前記光源モジュールで生じる熱エネルギーを放出し、それにより光源アセンブリの光源モジュールで生じる熱エネルギーが治療を妨げることを回避し、さらに治療効果を向上させることができ、本願の接触可能な光美容装置（例えば、光治療フェイスマスク、光治療アイマスク及び光治療鼻マスク等）は、機能が豊かで、安全性と信頼性が高く、持ち運びやすく、製造コストが低い等のメリットを有し、普及させるだけの充分な価値を有する。
【００６０】
明らかなように、当業者は本願の趣旨及び範囲を逸脱せずに、本願に対し種々の変更や変形を行うことができる。従って、本願のこれらの変更や変形が本願の実用新案登録請求の範囲及びその同等の技術範囲に属すると、本願もこれらの変更や変形を含むことを意図する。
【００６１】
当業者であれば、本願は上記例示的な実施例の詳細に限定されるものではなく、本願の趣旨又は基本的な特徴を逸脱せずに、ほかの具体的な形態で本願を実現できることが自明である。従って、どの観点からであっても、実施例は限定的ではなく例示的なものであるとみなすべきであり、本願の範囲は上記説明ではなく添付実用新案登録請求の範囲に定められ、従って、請求項の同等要件の意味及び範囲に属するすべての変化は本願に含まれる。請求項中の符号は係る請求項を限定するものではないと理解すべきである。また、明らかなように、用語「備える」はほかのユニット又はステップを除外せず、単数形は複数形を除外しない。装置の請求項に記載の複数のユニット又は装置は１つのユニット又は装置でソフトウェア又はハードウェアによって実現されてもよい。第１、第２等の用語は任意の特定の順序を示すものではなく、名称を示すことに用いられる。
【符号の説明】
【００６２】
１光源アセンブリ、２光治療アセンブリ、３導光アセンブリ、１１光源モジュール、１２電源モジュール、１３放熱モジュール、１４ビーム整形モジュール、１５導光ポート、１６筐体、１７ボタン、２１ウェアラブル光治療装置、２２接触可能な光美容装置、２１１光ファイバ発光ユニット、２１２ウェアラブルユニット、２３固定バックル、２１１１第１光ファイバフィラメント、２１１２発光領域、２１’光治療帽子、２１’’光治療靴下、２１’’’光治療グローブ、２１’’’’光治療ズボン、２１’’’’’光治療チョッキ、１０１ＬＥＤチップ、１０２熱伝導性基板、１０３給電電極、１０４取付孔、１４１テーパー状の導光柱、１４１’円形の導光柱、１４２平凸レンズ、１４３レンズ群、２２１光ファイバ層、２２２接触層、２２３反射層、２２１１第２光ファイバフィラメント、２２１１１ファイバコア、２２１１２クラッド層、２２１１３側面発光光ファイバの側面。
【図１】
0003232725.tif 000003
【図２】
0003232725.tif 000004
【図３】
0003232725.tif 000005
【図４】
0003232725.tif 000006
【図５】
0003232725.tif 000007
【図６】
0003232725.tif 000008
【図７】
0003232725.tif 000009
【図８】
0003232725.tif 000010
【図９】
0003232725.tif 000011
【図１０】
0003232725.tif 000012
【図１１】
0003232725.tif 000013
【図１２】
0003232725.tif 000014
【図１３】
0003232725.tif 000015
【図１４】
0003232725.tif 000016
【図１５】
0003232725.tif 000017
【図１６】
0003232725.tif 000018
【図１７】
0003232725.tif 000019
【図１８】
0003232725.tif 000020
【図１９】
0003232725.tif 000021
【図２０】
0003232725.tif 000022
【図２１】
0003232725.tif 000023